(57)【要約】【課題】耐久性の高い大径の戸車を利用しても出入口の開口長さや張出し後の扉幅に影響を与えない引戸装置を提供すること。【解決手段】前扉４と後扉５との前後に吊戸車を配設し、一方の扉の吊戸車間に他方の扉の１の吊戸車が位置し、１本のレール上を走行して出入口を開閉する引戸装置１において、後扉５の前側戸車１０ａを後扉５に対して引戸扉の進行方向に相対的移動可能に配設する。【選択図】図１
2007191914.tif 000002
【特許請求の範囲】
【請求項１】
前扉と後扉との前後に吊戸車を配設し、一方の扉の吊戸車間に他方の扉の１の吊戸車が位置し、１本のレール上を走行して出入口を開閉する引戸装置において、後扉の前側戸車を後扉に対して引戸扉の進行方向に相対的移動可能に配設したことを特徴とする引戸装置。
【請求項２】
前扉と後扉との前後に吊戸車を配設し、一方の扉の吊戸車間に他方の扉の１の吊戸車が位置し、１本のレール上を走行して出入口を開閉する引戸装置において、前扉の後側戸車を前扉に対して引戸扉の進行方向に相対的移動可能に配設したことを特徴とする引戸装置。
【発明の詳細な説明】
【技術分野】
【０００１】
本発明は、引戸装置に関し、一方の扉を他方の扉に収納可能に構成した収納型の引戸装置のように２枚の扉が１本のレール上を走行して出入口を開閉するようにした引戸装置に関するものである。
【背景技術】
【０００２】
従来、収納型の引戸装置としては、本出願人が先に出願した引戸装置（特許文献１参照）や先に特願２００５−２９８８２７号として提案した引戸装置がある。この引戸装置を図６〜８に示す。図において、ａは、点検窓ラインを、ｂは、方立ラインを示す。この引戸装置２０は、引戸枠部材２と、該枠部材２の一側に形成された戸袋３と、該戸袋３に収納される後扉５と、その後扉５内に収納される前扉４と、前扉４と後扉５に配設する前後の吊戸車２３ａ、２３ｂ、２４ａ、２４ｂを載置する１本の走行用レール６とより構成される。
そして、後扉５の上骨５ａには、上面に前扉４の後吊戸車２３ｂ用ブラケット２１ｂの通過を許容するスリットＮを設けるとともに、その側面戸先側に前扉４の戸尻側に配設したフランジＣと前記後吊戸車２３ｂ用ブラケット２１ｂとを固着手段Ｂ（六角穴付きボルト等が好ましい）を用いて固着する際に工具の進入を許容するための開口部分Ｍを設けるようにしている。
スリットＮの幅は、図７に示すように、後吊戸車２３ｂ用ブラケット２１ｂの幅よりも大きく、その長さは、後扉への前扉の収納長さ及び前後の扉幅より適宜決定される。
また、後扉５の上骨５ａ上面には、走行用レール６に載置する前後の吊戸車２４ａ、２４ｂを回動自在に配設するブラケット２２ａ、２２ｂを前後に取り付ける。
【０００３】
前扉４には、その戸先側に走行用レール６に載置する前吊戸車２３ａを回動自在に配設するブラケット２１ａと、戸尻側に後吊戸車２３ｂ用ブラケット２１ｂを固定するためのフランジＣを配設する。フランジＣには、後吊戸車２３ｂ用ブラケット２１ｂをボルトなどの固着手段Ｂによって固着するためのねじ穴を穿孔する。
【０００４】
そして、この引戸装置２０の組立は、前扉４の後吊戸車２３ｂ用ブラケット２１ｂを後扉５の上骨５ａに設けたスリットＮに嵌入し、後扉５の前後の吊戸車と前扉４用の前記ブラケット２１ｂを有する後吊戸車２３ｂを走行用レール６に載置し、前記後吊戸車２３ｂ用ブラケット２１ｂの下端部に形成された接合用孔が、後扉５の上部側面戸先側の開口部分Ｍに位置するようにしておき、前扉４の戸尻側上面に形成されたフランジＣが後扉５の前記開口部分Ｍに合致するところまで前扉４を後扉５内に進入させ、停止させる。しかる後、後扉５の前記開口部分Ｍを通して固着手段Ｂ及びその操作工具を挿入して前扉の後吊戸車２３ｂ用ブラケット２１ｂと前扉４の戸尻側に配設したフランジＣとを固着手段Ｂによって固着するようにするようにしている。
そして、これら前扉、後扉の寸法や、必要開口寸法は限られた施工場所においてはｍｍ単位で規制され、上記構成で引戸開閉時に各吊戸車２３ａ、２３ｂ、２４ａ、２４ｂが当接しないようにするためには吊戸車の外径を小径（例えば、３０ｍｍ）のものを使う必要があり、例えば、老健施設などお年寄りが利用する施設では引戸の開閉時に把手に体重をかけてしまうことが多く、小径の吊戸車ではその耐久性に問題が生じることがあるが、設計上吊戸車の外径を、例えば、４０ｍｍにすると、図８に示すように、全開・全閉時において、吊戸車同士が当接し、全閉時を基準にすると全開時において出入口の開口長さが狭められる。また、全開時を基準にすると全閉時において張出し後の扉幅が開口より小さくなり隙間が生じるといった問題がある。
【特許文献１】特開２００４−２７０３７０号公報
【発明の開示】
【発明が解決しようとする課題】
【０００５】
本発明は、上記従来の引戸装置の有する問題点に鑑み、耐久性の高い大径の吊戸車を利用しても出入口の開口長さや張出し後の扉幅に影響を与えない引戸装置を提供することを目的とする。
【課題を解決するための手段】
【０００６】
上記目的を達成するため、本第１発明の引戸装置は、前扉と後扉との前後に吊戸車を配設し、一方扉の吊戸車間に他方の扉の１の吊戸車が位置し、１本のレール上を走行して出入口を開閉する引戸装置において、後扉の前側吊戸車を後扉に対して引戸扉の進行方向に相対的移動可能に配設したことを特徴とする。
【０００７】
また、同じ目的を達成するため本第２発明の引戸装置は、前扉と後扉との前後に吊戸車を配設し、一方扉の吊戸車間に他方の扉の１の吊戸車が位置し、１本のレール上を走行して出入口を開閉する引戸装置において、前扉の後側吊戸車を前扉に対して引戸扉の進行方向に相対的移動可能に配設したことを特徴とする。
【発明の効果】
【０００８】
本発明の引戸装置によれば、耐久性の高い大径の吊戸車を利用した場合でも出入口の開口長さ等に影響を与えない引戸装置を提供することができる。
【発明を実施するための最良の形態】
【０００９】
以下、本発明の引戸装置の実施の形態を、図面に基づいて説明する。
【実施例１】
【００１０】
図１〜図２に、本発明の引戸装置の第１実施例を示す。図において、ａは、点検窓ラインを、ｂは、方立ラインを示す。
【００１１】
この引戸装置１は、引戸枠部材２と、該枠部材２の一側に形成された戸袋３と、該戸袋３に収納される後扉５と、その後扉５内に収納される前扉４と、前扉４と後扉５に配設する前後の吊戸車を載置する１本の走行用レール６とより構成される。そして、後扉５の前吊戸車１０ａ用ブラケット８ａを、後扉５の上骨５ａ上に摺動機構１１を介して、引戸の進行方向に摺動可能に配設するようにしている。
【００１２】
摺動機構１１は、ブラケット８ａを引戸の進行方向と平行に移動可能とする機構であれば特にその構成を限定するものではないが、例えば、図２（ａ）に示すように、上骨５ａ上に配設する断面Ｃ字状のレール部材１１ａにブラケット８ａと組み合わさって側面視Ｔ字状となるインナーメンバ１１ｂとから構成し、インナーメンバ１１ｂをレール部材１１ａに挿入することによってブラケット８ａを引戸の進行方向と平行に移動可能とすることができる。また、このとき図２（ｂ）に示すように、レール部材１１ａを上骨５ａ内に配設することによって後扉５の補強材を兼用することもできる。
【００１３】
また、摺動機構１１は、図２（ｃ）に示すように、上骨５ａ上に配設したアウターメンバ１１ｃとブラケット８ａ下部に取り付けたインナーメンバ１１ｂとボールベアリング１１ｅとを介して構成するスライドレール構造としてもよい。このとき図２（ｄ）に示すように、アウターメンバ１１ｃを上骨５ａ内に配設することによって後扉５の補強材を兼用することもできる。なお、いずれの場合もブラケット８ａが脱落することのないよう、例えば、レール部材１１ａ、アウターメンバ１１ｃ端部に蓋等の適宜脱落防止手段を配設する（図示省略）ことが好ましい。
そして、前扉４の後吊戸車９ｂは図８（ｂ）で示す引戸全開位置で、後扉５の後吊戸車１０ｂと当接しない位置に取り付ける。
【００１４】
しかして、引戸が全閉位置（図１参照）のときは、前扉４の後吊戸車９ｂに押されて後扉５の前吊戸車１０ａ及びブラケット８ａが戸先側に移動するがその移動量は前扉４の戸尻側端と後扉５との重なり代が規定値となるところまで移動する。逆に、引戸が全開位置に移動したときは、前扉４の前吊戸車９ａに押されて後扉５の前吊戸車１０ａ及びブラケット８ａが戸尻側に前扉４の戸先側における開口長さが規定値となるところまで移動する。
前記規定値は前後の扉４、５が連動機構（図示省略）で前扉４の移動量２、後扉５の移動量１の割合で移動規制して確保することが好ましい。
【実施例２】
【００１５】
図３〜図４に、本発明の引戸装置の第２実施例を示す。
この引戸装置１は、引戸枠部材２と、該枠部材２の一側に形成された戸袋３と、該戸袋３に収納される後扉５と、その後扉５内に収納される前扉４と、前扉４と後扉５に配設する前後の吊戸車を載置する１本の走行用レール６とより構成される。そして、前扉４の後吊戸車９ｂ用ブラケット７ｂを、前扉４上に摺動機構１２を介して、引戸の進行方向に摺動可能に配設するようにしている。
【００１６】
摺動機構１２は、ブラケット７ｂを引戸の進行方向と平行に移動可能とする機構であれば実施例１と同様特にその構成を限定するものではなく、例えば、図４（ａ）に示すように、前扉４上に配設する断面Ｃ字状のレール部材１２ａにブラケット７ｂと組み合わさって側面視Ｔ字状となるインナーメンバ１２ｂとから構成し、インナーメンバ１２ｂをレール部材１２ａに挿入することによってブラケット７ｂを引戸の進行方向と平行に移動可能とすることができる。また、このとき実施例１と同様、図４（ｂ）に示すように、レール部材１２ａを前扉４の上面内部に配設することによって前扉４の補強材を兼用することもできる。
【００１７】
また、摺動機構１２は、図４（ｃ）に示すように、前扉４上に配設したアウターメンバ１２ｃとブラケット７ｂ下部に取り付けたインナーメンバ１２ｂとボールベアリング１２ｅとを介して摺動可能に構成するスライドレール構造としてもよい。このとき図４（ｄ）に示すように、アウターメンバ１２ｃを前扉４の上面内部に配設することによって前扉４の補強材を兼用することもできる。なお、いずれの場合も実施例１と同様に、ブラケット７ｂが脱落することのないよう、例えば、レール部材１２ａ、アウターメンバ１２ｃ端部に蓋等の適宜脱落防止手段を配設する（図示省略）ことが好ましい。
そして、後扉５の前吊戸車１０ａを図８（ｂ）で示す引戸全開位置で、前扉４の前吊戸車９ａと当接しない位置に取り付ける。
【００１８】
しかして、引戸が全閉位置（図３参照）のときは、後扉５の前吊戸車１０ａによって制動される格好で前扉４の後吊戸車９ｂ及びブラケット７ｂが戸尻側に移動するがその移動量は前扉４の戸尻側端と後扉との重なり代が規定値となるところまで移動する。逆に、引戸が全開位置に移動したときは、後扉５の後吊戸車１０ｂに止められる格好で前扉４の後吊戸車９ｂ及びブラケット７ｂが戸先側に前扉４の戸先側における開口長さが規定値となるところまで移動する。
【００１９】
図５に、本発明の引戸装置に使用する摺動機構の別の実施例を示す。
図５（ａ）は、当接対象の吊戸車用ブラケットに当接部材Ｔ１、Ｔ２を配設し、吊戸車１０ａ、９ｂ同士を直接当接させない例を示す。これにより、吊戸車１０ａ、９ｂ同士が接触によって摩耗、破損することを有効に防止することができる。
【００２０】
図５（ｂ）は、当接対象の吊戸車用ブラケットのいずれかに（図例では後扉５の前吊戸車１０ａ用のブラケット８ａに適用した例を示す）、後扉５の適所に配設した支持部材１３に対して支軸１３ａを介して揺動自在に取り付けた例を示し、支軸１３ａを嵌挿するブラケット８ａの支持孔８ｃは図例の如く長孔とすることが好ましく、これにより、後扉５の前吊戸車１０ａと前扉４の後吊戸車９ｂとが当接したとき、後扉５の前吊戸車１０ａは図例一点破線の位置まで揺動し、引戸扉を全閉位置で保持することができる。
【００２１】
図５（ｃ）は、並列戸の当接対象の吊戸車用ブラケットのいずれかに（図例では後扉５の前吊戸車１０ａ用のブラケット８ａに適用した例を示す）、実施例１又は２の摺動機構１２を配設した例を示す。
【００２２】
以上、本発明の引戸装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２３】
本発明の引戸装置は、前扉の後吊戸車と後扉の前吊戸車のいずれかを引戸扉の進行方向に摺動可能に配設することによって、吊戸車径を大きくする場合にも居室出入口の開口長さに影響を与えないという特性を有していることから、施工スペースの限られたでスペースで耐久性の高い引戸装置が必要な用途に適用することができる。
【図面の簡単な説明】
【００２４】
【図１】本発明の引戸装置の１実施例を示す一部切り欠きの正面図である。
【図２】本発明の摺動機構を示す図１のＸ−Ｘの一部切り欠きの断面図で、（ａ）はレール部材とインナーメンバを使用した例を、（ｂ）は、（ａ）の変形例を、（ｃ）は、スライドレール構造を適用した例を、（ｄ）は（ｃ）の変形例である。
【図３】本発明の引戸装置の別の実施例を示す一部切り欠きの正面図である。
【図４】本発明の摺動機構を示す図３のＹ−Ｙの一部切り欠きの断面図で、（ａ）は、レール部材とインナーメンバを使用した例を、（ｂ）は、（ａ）の変形例を、（ｃ）は、スライドレール構造を適用した例を、（ｄ）は（ｃ）の変形例である。
【図５】本発明の摺動機構を示す別の実施例で、（ａ）は、ブラケット同士が当接する例を、（ｂ）は、ブラケットを引戸扉に対して揺動支持した例を、（ｃ）は、前後の並列戸タイプの引戸装置に適用した例である。
【図６】従来の引戸装置の実施例を示す一部切り欠きの正面図である。
【図７】図６のＺ−Ｚの一部切り欠きの断面図である。
【図８】従来の引戸装置で吊戸車を大径にした場合の吊戸車の当接を説明する正面図で、（ａ）は、引戸全閉位置を、（ｂ）は、引戸全開位置を、（ｃ）は、当接部分の拡大説明図である。
【符号の説明】
【００２５】
１    引戸装置
２    引戸枠部材
３    戸袋
４    前扉
５    後扉
５ａ  上骨
６    走行用レール
７    吊戸車用ブラケット
８    吊戸車用ブラケット
９ｂ  前扉の後吊戸車
１０ａ  後扉の前吊戸車
【図１】
2007191914.tif 000003
【図２】
2007191914.tif 000004
【図３】
2007191914.tif 000005
【図４】
2007191914.tif 000006
【図５】
2007191914.tif 000007
【図６】
2007191914.tif 000008
【図７】
2007191914.tif 000009
【図８】
2007191914.tif 000010